(57)【要約】【課題】  小型滑走艇を陸上に上あげると、オイルクーラ収容部内の冷却水が自然と排出される小型滑走艇用内燃機関を供する。【解決手段】  ジェット推進ポンプ10の正圧側の冷却水取込み口131から取り込んだ冷却水を下部から流入し上部から流出するオイルクーラ収容部85にオイルクーラ100が収容され、オイルクーラ収容部85の冷却水を流入する下部から上流側に冷却水経路が低くなってジェット推進ポンプ10の正圧側の冷却水取込み口131に至っている小型滑走艇用内燃機関。【選択図】  図１７
2006097562.tif 000002
【特許請求の範囲】
【請求項１】
ハルとデッキとで囲まれた船体内にジェット推進ポンプを駆動する内燃機関が搭載され、前記デッキ上に乗員が搭乗する小型滑走艇における潤滑油を冷却する水冷式オイルクーラが備えられた小型滑走艇用内燃機関において、
前記ジェット推進ポンプの正圧側の冷却水取込み口から取り込んだ冷却水を下部から流入し上部から流出するオイルクーラ収容部に前記オイルクーラが収容され、
前記オイルクーラ収容部の冷却水を流入する下部から上流側に冷却水経路が低くなって前記ジェット推進ポンプの正圧側の冷却水取込み口に至っていることを特徴とする小型滑走艇用内燃機関。
【請求項２】
前記オイルクーラのオイル出口通路に突設されたオイルスイッチが、前記オイルクーラ収容部の下方空間に突出していることを特徴とする請求項１記載の小型滑走艇用内燃機関。
【発明の詳細な説明】
【技術分野】
【０００１】
本発明は、水上を走行する小型滑走艇に搭載される内燃機関に関する。
【背景技術】
【０００２】
小型滑走艇は、ハルとデッキとで囲まれた船体内にジェット推進ポンプを駆動する内燃機関が搭載され、デッキ上に操縦者等乗員が搭乗するので、内燃機関が略密閉状態で収容されるハルとデッキとで構成される船体内空間は狭い。
【０００３】
そのため、内燃機関としてはコンパクトなものが要求され、内燃機関の潤滑方式としては、機関下部に全高を高くするような多量のオイルを溜めておくオイル溜めを持たないドライサンプが採用されている（例えば、特許文献１参照）。
【特許文献１】特開２００３−３５２０１号公報
【０００４】
同特許文献１におけるドライサンプの油路には、水冷式のオイルクーラが設けられ、潤滑油の温度上昇を抑えるようにしている。
小型滑走艇は、ジェット推進ポンプの正圧側から導入した冷却水を内燃機関の冷却に用いており、オイルクーラもこの冷却水を利用している。
【０００５】
同特許文献１に開示されたオイルクーラは、内燃機関本体の前側にオイルタンクと並んで縦長に設けられたオイルクーラ収容部に収容されて同オイルクーラ収容部に流入・流出する冷却水によりオイルが冷却される。
【発明の開示】
【発明が解決しようとする課題】
【０００６】
このオイルクーラ収容部は、シリンダブロック上部からクランクケース下部に至る縦に長尺で、特に冷却水が流入するオイルクーラ収容部の下部は船底に近く余裕の空間はなく、ジェット推進ポンプと略同じような高さにある。
したがって、ジェット推進ポンプの正圧側からオイルクーラ収容部に導入された冷却水が、小型滑走艇を陸上に上げてもジェット推進ポンプの正圧側から抜け出るとは限らず、オイルクーラ収容部内に残る可能性がある。
【０００７】
本発明は、かかる点に鑑みなされたもので、その目的とする処は、小型滑走艇を陸上に上げると、オイルクーラ収容部内の冷却水が自然と排出される小型滑走艇用内燃機関を供する点にある。
【課題を解決するための手段】
【０００８】
上記目的を達成するために、請求項１記載の小型滑走艇用内燃機関は、ハルとデッキとで囲まれた船体内にジェット推進ポンプを駆動する内燃機関が搭載され、前記デッキ上に乗員が搭乗する小型滑走艇における潤滑油を冷却する水冷式オイルクーラが備えられた小型滑走艇用内燃機関において、前記ジェット推進ポンプの正圧側の冷却水取込み口から取り込んだ冷却水を下部から流入し上部から流出するオイルクーラ収容部に前記オイルクーラが収容され、前記オイルクーラ収容部の冷却水を流入する下部から上流側に冷却水経路が低くなって前記ジェット推進ポンプの正圧側の冷却水取込み口に至っていることを特徴とする。
【０００９】
請求項２記載の発明は、請求項１記載の小型滑走艇用内燃機関において、前記オイルクーラのオイル出口通路に突設されたオイルスイッチが、前記オイルクーラ収容部の下方空間に突出していることを特徴とする。
【発明の効果】
【００１０】
請求項１記載の小型滑走艇用内燃機関によれば、オイルクーラ収容部の冷却水を流入する下部から上流側に冷却水経路が低くなって前記ジェット推進ポンプの正圧側の冷却水取込み口に至っているので、小型滑走艇を陸上に上あげると、オイルクーラ収容部内の冷却水が冷却水経路を通ってジェット推進ポンプの正圧側の冷却水取込み口から自然と排出される。
【００１１】
請求項２記載の小型滑走艇用内燃機関によれば、オイルクーラ収容部の従来より高い位置にあるオイルクーラ収容部の下部の大きくなった下方空間を利用して、オイルスイッチが突出しているので、オイルスイッチの上方をオイルクーラ収容部が覆って、上方からの水掛かりを防止することができる。
【発明を実施するための最良の形態】
【００１２】
以下、本発明に係る一実施の形態について図１ないし図１７に基づいて説明する。
本実施の形態に係る小型滑走艇用内燃機関20を搭載した小型滑走艇１の側面図を図１に、同平面図を図２に、その断面図を図３に図示する。
【００１３】
本小型滑走艇１は、下側の船底を形成するハル３と上側のデッキ４により内部に空間を形成して浮体構造をなす船体２が構成され、船体２内の空間に内燃機関20が収容され、船体２上のデッキ４の中央のシート５に乗員が１人〜３人鞍乗りに着座し、シート５の前方のバーハンドル６を操作して操縦する小型鞍乗り型船舶である。
【００１４】
この小型滑走艇１の推進手段は、内燃機関20により駆動されるジェット推進ポンプ10であり、ハル３の後部に配置されている。
ジェット推進ポンプ10は、軸流式ポンプで、船底に開口した取水口12から船体後端に開口した噴流口に設けられたノズル13に至る流路にインペラ11が介装された構造（図１７参照）をしており、インペラ11のシャフト15が内燃機関20のクランクシャフト21に継手56を介して連結されている。
【００１５】
したがって、内燃機関20によりシャフト15を介してインペラ11が回転駆動されると、船底の取水口12から吸引された水が噴射口からノズル13を経て噴出され、その反作用で船体２が推進され小型滑走艇１は水上を滑走する。
【００１６】
ジェット推進ポンプ10による推進力は、バーハンドル６に付設されたスロットルレバー７の操作で制御され、操作ハンドル６の操舵で操作ワイヤを介して前記ノズル13が回動操作され、ノズル13の出口の方向を変えることで進路方向を変更する。
内燃機関20は、船体２内の略中央でシート５の下方に配置され、船体２の前部は収納室８を有し、収納室８と内燃機関20との間には燃料タンク９が設けられている。
【００１７】
内燃機関20は、ＤＯＨＣ型４ストロークサイクルの直列４気筒内燃機関であり、クランクシャフト21を船体２の前後方向に指向させて縦置きに船体２内に配置される。
内燃機関20本体は、図６を参照して上下割りされたシリンダブロック22とクランクケース23が割り面24にクランクシャフト21を回転自在に軸支するように接合され、シリンダブロック22の上にシリンダヘッド25を重ね合わせ、さらにその上にシリンダヘッドカバー26を被せている。
また、クランクケース23の下にはオイルパン27が取り付けられている。
【００１８】
なお、本明細書において船体の進行方向を向いたときを基準に左右を決める。
シリンダブロック22の右側面の下端前後にマウントブラケット22ａ，22ａが斜め上方に向けて突設されており（図６，図９参照）、一方クランクケース23に左側面から前後一対のマウントブラケット23ａ，23ａが割り面24に平行に突設されている（図６，図１０参照）。
【００１９】
したがって、内燃機関20の左右に突設されたマウントブラケット22ａとマウントブラケット23ａとは互いに鈍角の角度を持って突出しており、図４に図示するように、船体内２のハル３の左右に設けられた架台28Ｌ，28Ｒに、それぞれマウントブラケット22ａ，23ａが防振ラバー部材29，29を介して同じ水平高さで取り付けられて内燃機関20が架設支持されている。
【００２０】
したがって、シリンダブロック22とクランクケース23の割り面24は、左側マウントブラケット23ａの突出方向と平行であり、よって水平線Ｈに対して左上がりに角度を有して傾斜している（図４，図６参照）。
【００２１】
内燃機関20は、シリンダブロック22のシリンダ22ｂが割り面24に垂直に延出形成され、その延長方向にシリンダヘッド25，シリンダヘッドカバー26が設けられるとともに、オイルパン27も割り面24に垂直方向にクランクケース23に取り付けられるので、図４（および図６）に示すように内燃機関20は、全体的に右側に傾いて船体２に搭載される。
【００２２】
図６に示すように、右傾したシリンダ22ｂ内をピストン30が往復動し、コネクティングロッド31を介してクランクシャフト21が回転される。
シリンダ22ｂに重ねられたシリンダヘッド25は、ピストン30の頂面に対向して燃焼室32が形成され、同燃焼室32に開口を有して吸気ポート33Ｉと排気ポート33Ｅが左右に延出形成されている。
【００２３】
吸気ポート33Ｉの開口を開閉する吸気バルブ34Ｉと、排気ポート33Ｅの開口を開閉する排気バルブ34Ｅをそれぞれ摺動させるカムシャフト35Ｉ，35Ｅが、シリンダヘッド25とシリンダヘッドカバー26との合わせ面位置に設けられている。
【００２４】
内燃機関20本体の左側には、吸気ポート33Ｉに連通するサージタンク40とインタークーラ41とが接続配置され、エンジン20の右側には、排気ポート33Ｅに連通する排気マニホールド42が接続されている（図４，図５参照）。
【００２５】
図５に示すように、内燃機関20の後方にはターボチャージャ43が配設され、ターボチャージャ43は、そのタービン部43Ｔに排気マニホールド42の排気出口が接続され、コンプレッサ部43Ｃに前記インタークーラ41との接続配管44が接続される。
【００２６】
ジェット推進ポンプ10の正圧側から冷却水を導く冷却水導入ホース45から一方に分岐した冷却水ホース41ａがインタークーラ41に接続され、インタークーラ41から他方に延出した冷却水ホース41ｂがターボチャージャ43に接続されている（図１７参照）。
【００２７】
冷却水導入ホース45から他方に分岐した冷却水ホース46は、内燃機関20の前側の後記するオイルクーラ100に向かって延びている（図１７参照）。
なお、ターボチャージャ43のタービン部43Ｔでタービンホイールを回転させた排気は、図１および図２に示すように、また図１７を参照して、排気管47ａ，逆流防止室47ｂ（転覆時にターボチャージャ等へ水が侵入しないように水の逆流を防止する室），ウォータマフラ47ｃ，配管47ｄを順次経て水中に通じるウォータチャンバ47ｅに至り、水中内へと排出される。
【００２８】
前記したように、クランクシャフト21は、シリンダブロック22とクランクケース23の割り面24の各軸受に回転自在に軸支されるが、同軸受に２次振動を打ち消す２軸のバランサシャフト36Ｌ，36Ｒがクランクシャフト21の左右に回転自在に軸支される。
【００２９】
クランクシャフト21の４つの気筒に対応する４対のクランクウエブ21ｗ間の３つのクランクジャーナル21ｊと前後２つのクランクジャーナル21ｊの計５つのクランクジャーナル21ｊが、シリンダブロック22とクランクケース23の上下両側にそれぞれ形成された前後方向に垂直な壁をなす５つのリブ22ｒ、23ｒに形成された半円弧状の軸受にメタルベアリングを介して挟まれて回転自在に軸支される（図７および図９参照）。
【００３０】
図９のシリンダブロック22の下面図に示すように、クランクシャフト21をその軸受で軸支する５つのリブ22ｒのうち中央のリブ22rcを除いた４つのリブ22ｒが左右両端に至るまで屈曲することなく平坦であるのに対して、中央のリブ22rcは、その左右端部が屈曲してクランクシャフト21を軸支する軸受部より前方（図９において左方）に偏倚している。
【００３１】
この中央のリブ22rcの前方に偏倚した左右部分に、バランサシャフト36Ｌ，36Ｒの後側軸受部が設けられ、バランサシャフト36Ｌ，36Ｒの前側軸受部は、最前側の外壁をなすリブ22ｒの左右部分に設けられている。
すなわち、バランサシャフト36Ｌ，36Ｒは、クランクシャフト21の左右に平行に並んで最前側のリブ22ｒの軸受と中央のリブ22rcの軸受にメタルベアリングを介して回転自在に前後を軸支され、シリンダブロック22の前側に偏って配設されている。
【００３２】
そして、バランサシャフト36Ｌ，36Ｒは、そのバランスウエイトが中央のリブ22rcにより分割され、中央のリブ22rcとその前隣りのリブ25ｒとの間にバランスウエイト36Ｌｗ，36Ｒｗを有するとともに、中央のリブ22rcより後方に片持ち状態に突出したバランスウエイト36Ｌｗ，36Ｒｗを備えている。
【００３３】
シリンダブロック22は、バランサシャフト36Ｌ，36Ｒが配設される前側の左右幅が大きく、バランサシャフト36Ｌ，36Ｒがない後側は狭くなっている。
そして、バランサシャフト36Ｌ，36Ｒは、後部が中央のリブ22rcの前方に偏倚した軸受部に軸支されているので、できるだけバランサシャフト36Ｌ，36Ｒの後部を前方へ位置させ、その分シリンダブロック22の後側の左右幅の狭い部分を大きく確保して、内燃機関20本体の小型コンパクト化を図っている。
【００３４】
また、後部バランスウエイト36Ｌｗ，36Ｒｗが両持ちでなく片持ち支持されているので、バランサシャフト36Ｌ，36Ｒの全長を短くし後端部に軸受を必要としない分、さらにシリンダブロック22の後側の左右幅の狭い部分を大きく確保でき、益々内燃機関20本体の小型コンパクト化を可能にしている。
【００３５】
なお、シリンダブロック22の割り面24に接合されるクランクケース23も、シリンダブロック22の５つのリブ22ｒに対応して５つのリブ23ｒを有し（図７参照）、中央のリブ23rcは左右が前方に偏倚している。
そして内燃機関20の本体の後側の左右幅の狭い部分を大きく確保して、内燃機関20の後側左右の空きスペースを利用して補機類を配置して、内燃機関20全体のコンパクト化を図ることができる。
【００３６】
図７および図９に示すように、シリンダブロック22およびクランクケース23の最前側の外壁をなすリブ22ｒ，23ｒの内面に沿って回転するクランクシャフト21のクランクウエブ21ｗの外周にドライブギア21ｇが形成されている。
一方、バランサシャフト36Ｌ，36Ｒも最前側の外壁をなすリブ22ｒ，23ｒの内面に沿ってドリブンギア36Ｌｇ，36Ｒｇが形成されている。
【００３７】
そして左側バランサシャフト36Ｌのドリブンギア36Ｌｇとクランクシャフト21のクランクウエブ21ｗ外周のドライブギア21ｇとが直接噛合っている。
他方、図６に示すように、右側バランサシャフト36Ｒのドリブンギア36Ｒｇの斜め左寄り上方には、中間軸37がシリンダブロック22のリブ22ｒに支持され、同中間軸37に回転自在に軸支された中間ギア37ｇが右側バランサシャフト36Ｒのドリブンギア36Ｒｇと噛合うと同時にクランクシャフト21のクランクウエブ21ｗ外周のドライブギア21ｇとも噛合っている。
【００３８】
したがって、左右のバランサシャフト36Ｌ，36Ｒは、クランクシャフト21の回転により、互いに反対方向に回転し、クランクシャフト21の２倍の回転速度で回転して２次振動を打ち消すように働く。
【００３９】
クランクシャフト21の回転を左右のバランサシャフト36Ｌ，36Ｒに伝達するドライブギア21ｇ，中間ギア37ｇ，ドリブンギア36Ｌｇ，36Ｒｇのギア機構は、最前側の外壁をなすリブ22ｒ，23ｒの内面に沿ってシリンダブロック22およびクランクケース23の内側に配設され、シリンダブロック22およびクランクケース23のマウントブラケット22ａ，23ａと前後方向同一位置で側面視において重なる位置にある。
【００４０】
したがって、シリンダブロック22およびクランクケース23における回転動力を伝達するギア機構の周囲およびバランサシャフト36Ｌ，36Ｒの軸受部の剛性が、特別な構造を付加することなく十分高く確保される。
【００４１】
クランクシャフト21のシリンダブロック22およびクランクケース23の内側のクランクウエブ21ｗにドライブギア21ｇを備えているので、ドライブギアを単独で備える従来構造に比較してクランクシャフト21自体を短くし内燃機関20の全長を短く抑えることができる。
【００４２】
クランクシャフト21のシリンダブロック22およびクランクケース23の外壁をなすリブ22ｒ，23ｒより外側に突出した部分には、図９に示すようにワンウェイクラッチ50を介してスタータ用ドリブンギア51がリブ22ｒ，23ｒの外面に沿って設けられるとともに、同スタータ用ドリブンギア51より前方にＡＣジェネレータ54のアウタロータ54ｒが取り付けられる（図７参照）。
【００４３】
ワンウェイクラッチ50を介したスタータ用ドリブンギア51を、従来のようにクランクウエブと一体でなく単独で設けられたドライブギアに並べて互いに干渉を避けて配置するよりもスタータ用ドリブンギア51自体が小さくてすむ。
【００４４】
図６に２点鎖線で示すように、スタータ用ドリブンギア51には、減速ギア軸52に回転自在に支持された小径ギア52ａが噛み合い、小径ギア52ａと一体の大径ギア52ｂが左側バランサシャフト36Ｌの上方に位置するスタータモータ53の駆動軸に嵌着したドライブギア53ａに噛み合っている。
【００４５】
一方、クランクシャフト21の後部は、図７に示すように、シリンダブロック22およびクランクケース23の後壁の軸受部にベアリング55を介して軸支されて後方に突出しており、この後端部が前記ジェット推進ポンプ10のインペラ11に接続されるシャフト15に継手56を介して連結される。
【００４６】
図７を参照して、シリンダブロック22およびクランクケース23の後壁と最後側のリブ22ｒ，23ｒとの間はカムチェーン室57が形成されていて、カムチェーン室57でクランクシャフト21にはドライブスプロケット58が嵌着され、上方の前記カムシャフト35Ｉ，35Ｅの後端部に嵌着されたドリブンスプロケット59，59との間にカムチェーン60が架渡されている。
【００４７】
クランクケース23の下面には、図１０に図示するように、前後方向に長尺矩形の開口を有し、その開口周縁に合せ面23ｂが形成されており、この合せ面23ｂに合せてオイルパン27が下方から取り付けられる。
【００４８】
矩形の合せ面23ｂには、ねじ孔23ｐが形成され、図１１および図１２に示すように、オイルパン27の矩形の周縁合せ面27ｂに形成された取付孔27ｐにボルト61を貫通してねじ孔23ｐに螺入しオイルパン27がクランクケース23に取り付けられる。
【００４９】
図１０を参照して、クランクケース23の下面に沿って前後方向にメインオイル通路23Ｃが貫通してクランクケース23の前壁に開口しており、５つのリブ23ｒのオイル通路23Ｃをまたぐ左右にボルト孔23ｄが形成されていて、同ボルト孔23ｄを貫通した締付ボルト38がシリンダブロック22に螺入してクランクケース23とシリンダブロック22を締付け結合する（図６参照）。
【００５０】
なお、メインオイル通路23Ｃの左右に左右バランサシャフト36Ｌ，36Ｒの軸受にオイルを供給する左右バランサ用オイル通路23Ｌ，23Ｒが、メインオイル通路23Ｃに平行に設けられて、左右バランサ用オイル通路23Ｌ，23Ｒともにクランクケース23の前壁に開口している（図６参照）。
【００５１】
また、クランクケース23の矩形の合せ面23ｂ内には、後半部に前後方向に長尺の長方形状をした４辺からなる枠壁70が形成されており、枠壁70内は上底面71を有して下方を開放している（図１０参照）。
枠壁70の下端面は、オイルパン27との合せ面23ｂと同一高さにある。
【００５２】
一方、オイルパン27の内部には、図１１および図１２に示すように、クランクケース23の枠壁70のうち右辺を除く３辺の側壁に対応して前側壁，後側壁，左側壁の３側壁からなる枠壁72が底面から立設されている。
枠壁72の前側壁に円開口を有して前方へ真っ直ぐオイル回収通路73が延設され、オイル回収通路73はオイルパン27の前壁に開口して（図６参照）後記するオイルポンプ90に連通する。
【００５３】
図１２に示すように、枠壁72の開放された右側開口の３辺（前側壁，後側壁，底壁）の内縁部には溝条72ａが形成されている。
この溝条72ａに長尺矩形のオイルストレーナ74が略鉛直姿勢で嵌合される。
【００５４】
オイルストレーナ74は、図１３ないし図１５に図示するように、帯状に長いオイルスクリーン75の周縁部をストッパフレーム76とスクリーンカバー77が左右から挟持して、その挟持部をゴム部材78が囲繞している。
【００５５】
ストッパフレーム76は、偏平矩形の枠部76ａの対向する長尺辺を３箇所クロスメンバ76ｂが連結して大きく４つの開口を備えた形状をしており、スクリーンカバー77はストッパフレーム76の枠部76ａに対応する枠部77ａから四角錐状に一方に偏って膨出したカバー部77ｂとからなり、このカバー部77ｂの下片の一部が矩形に欠損して開口77ｃを形成している。
【００５６】
スクリーンカバー77の枠部77ａが、オイルスクリーン75の周縁部をストッパフレーム76の枠部76ａとの間で挟み、かつ同枠部76ａの背後に廻り込んでかしめつけてオイルスクリーン75を張設している。
【００５７】
以上のオイルストレーナ74が、右側にスクリーンカバー77のカバー部77ｂを突出させてオイルパン27内の枠壁72の開放された右側開口の３辺の溝条72ａにゴム部材78を介して嵌合される（図１２参照、オイルストレーナ74を２点鎖線で示す）。
【００５８】
オイルストレーナ74が溝条72ａに嵌合された状態で、オイルパン27がクランクケース23に取り付けられると、クランクケース23側の枠壁70とオイルパン27側の枠壁72がその端面どうしを突き合わせ、オイルストレーナ74の上端ゴム部材78が枠壁70の右側壁に当接して、オイルパン27内の空間を枠壁70，72、上底面71、オイルパン底面およびオイルスクリーン75が仕切って直方体状のキャビティ79が形成される。
キャビティ79は、枠壁72の前側壁の開口からオイル回収通路73に連通している。
【００５９】
前記したように、内燃機関20は、全体的に右側に傾いて船体２に搭載されるので、オイルパン27内にあって画成された直方体状のキャビティ76は、より低い位置にある右側開口をオイルストレーナ74のオイルスクリーン75が仕切っている。
すなわち、オイルパン27内に溜まったオイルは、右側に偏って溜り、キャビティ76の右側開口を仕切るオイルストレーナ74を常にオイル内に沈ませた状態とすることができる。
【００６０】
オイルパン27内に溜まったオイルは、オイルストレーナ74のスクリーンカバー77の開口77ｃから吸入され、オイルスクリーン75を通ってキャビティ79に流入するが、その際オイルストレーナ74が常にオイル内に沈んだ状態にあるので、エアの吸い込みが少ない。
【００６１】
オイルストレーナ74が略鉛直姿勢でキャビティ76を仕切っているので、従来の水平姿勢でオイルパンが装着されるよりもオイルパン27の左右幅を狭めることができ、小型滑走艇１の船底の中央の左右上がりに形成された形状に合わせることが容易となり、内燃機関20の位置を幾らか低く搭載することができる。
【００６２】
また、従来の水平姿勢でオイルパンを装着するときはその上下にある程度の上下幅を持った空間を必要とするが、本オイルストレーナ74のように略鉛直姿勢で装着されると、オイルパン27の上下幅を小さくしても、オイルストレーナ74の左右に十分な空間を備えることができ、オイルパン27自体の上下幅を小さくし、内燃機関20の全高を低くすることができ、益々小型滑走艇１の船底への搭載が容易となる。
【００６３】
このオイルストレーナ74により仕切られるキャビティ79は、クランクケース23に形成された枠壁70と上底面71およびオイルパン27に形成された枠壁72とオイルパン底面とで画成されるので、特別専用部品を必要とせず、部品点数の削減を図ることができる。
また、オイルストレーナ74もクランクケース23とオイルパン27に挟持される構造なので、組付け性に優れている。
【００６４】
以上のシリンダブロック22、クランクケース23およびオイルパン27の前面には同一平面をなす合わせ面22ｆ，23ｆ，27ｆが形成され（図６参照）、同合わせ面22ｆ，23ｆ，27ｆにオイルタンク80のタンク本体81が接合される。
なお、オイルタンク80は、このタンク本体81とタンク本体81の前面に被せられるタンクカバー88とから構成されている。
【００６５】
図４および図７に示すように、タンク本体81は、シリンダブロック22、クランクケース23およびオイルパン27の前面の合わせ面22ｆ，23ｆ，27ｆに接合する合わせ面81ｒとタンクカバー88との合わせ面81ｆを平行に有し、合わせ面81ｒより前方に膨出してＡＣジェネレータ54や減速ギア52ａ，52ｂを覆うＡＣＧカバー部82が形成され、そのＡＣＧカバー部82の上方および左右側方にかけて全体で縦長のオイル収容部83が形成され、さらにオイル収容部83の右側にクランクシャフト21より高い位置で一部張り出すように水冷式のオイルクーラ収容部85が形成されている。
【００６６】
なお、図４は、シリンダブロック22、クランクケース23およびオイルパン27の前面にタンク本体81を取り付けた状態の前面図である。
オイル収容部83の上部空間にはブリーザ室84が設けられている。
【００６７】
図７に示すように、前記ＡＣジェネレータ54のアウタロータ54ｒは、カップリング62ａとともにボルト63によりクランクシャフト21の先端部に固着されている。
カップリング62ａは、次記するオイルポンプ90のポンプ軸95の後端のカップリング62ｂと連結される。
【００６８】
このカップリング62ａ,62ｂ部分を覆うカップリングカバー部82ａがＡＣＧカバー部82の中央に後方に突出して形成されて、このカップリングカバー部82ａに固定されてＡＣジェネレータ54のインナステータ54ｓが支持されている。
【００６９】
このＡＣジェネレータ54を前方から覆うＡＣＧカバー部82の前方にオイルポンプ90が設けられる。
オイルポンプ90は、前記タンク本体81に前方から接合される第１ケース92と、さらに前方から接合されてボルト94により第１ケース92とともにタンク本体81に取り付けられる第２ケース93とを有し、これら前後の第１，第２ケース92，93をクランクシャフト21と同軸に貫通したポンプ軸95が、ＡＣＧカバー部82を貫通し、その後端に前記カップリング62ｂが後方よりボルト95ａにより固着されている。
【００７０】
このポンプ軸95における第１ケース92内の軸部にインナロータが嵌着されてスキャベンジングポンプ90Ｓが設けられ、第２ケース93内の軸部にインナロータが嵌着されてフィードポンプ90Ｆが設けられている。
したがって、クランクシャフト21の回転が、カップリング62ａ，62ｂを介してポンプ軸95の回転に伝達されてスキャベンジングポンプ90Ｓとフィードポンプ90Ｆが駆動される。
【００７１】
図４および図７を参照して、タンク本体81の下部には、オイルパン27のオイル回収通路73に連結するオイル回収通路86が形成され、オイル回収通路86は、第１ケース92の後面にその一部が形成されて上方に延びてスキャベンジングポンプ90Ｓに至っている。
【００７２】
したがって、スキャベンジングポンプ90Ｓの駆動により、オイルパン27に溜まった潤滑油がオイルストレーナ74を通ってオイル回収通路73を前方に吸入され、オイル回収通路86
を通って上方のスキャベンジングポンプ90Ｓに至る。
【００７３】
図７を参照して、スキャベンジングポンプ90Ｓの上方には、第１ケース92の後面とタンク本体81の前面により共通の回収オイル吐出路87が形成されていて、回収オイル吐出路87の上端は、オイルタンク80のオイル収容部83に開口している。
したがって、スキャベンジングポンプ90Ｓの駆動により吐出された回収オイルは、回収オイル吐出路87を通って、オイルタンク80のオイル収容部83に回収される。
【００７４】
また、図７に示すように、第１ケース92の前面と第２ケース93の後面とで、供給オイル吸入路96がフィードポンプ90Ｆの下方に形成されるとともに、供給オイル吐出路98がフィードポンプ90Ｆの上方に形成される。
供給オイル吸入路96の下端は、オイル収容部83の底面に近い高さに開口しており、上端はフィードポンプ90Ｆの吸込口に連通しており、途中にスクリーンオイルフィルタ97が介装されている。
【００７５】
供給オイル吐出路98は、フィードポンプ90Ｆの吐出口から上方に延びた後、後方に屈曲して、タンク本体81に形成された横孔98ａに連結される。
横孔98ａは、同じタンク本体81に形成された縦孔98ｂに連通して上方に向かっており、この縦孔98ｂの上端は、後記するオイルフィルタ110の取付面に環状になって開口しており、オイルフィルタ110のオイル入口111に連通している（図８参照）。
【００７６】
したがって、フィードポンプ90Ｆが駆動されると、オイルタンク80のオイル収容部83の下部から供給オイル吸入路96を通って潤滑油が吸い上げられ、供給オイル吐出路98に吐出され、タンク本体81に形成された横孔98ａおよび縦孔98ｂを上方に圧送されてオイルフィルタ110に至る。
【００７７】
なお、供給オイル吐出路98の途中にはリリーフバルブ99がオイル収容部83との間で介装されており、供給オイルの吐出圧が大き過ぎるときは、余分なオイルをオイル収容部83に戻すようにしている。
【００７８】
図４および図８に示すように、水冷式のオイルクーラ100は、タンク本体81の前面に縦長に画成されたオイルクーラ収容部85に突設される。
オイルクーラ100は、オイルが通る複数枚の熱交換用プレート100ａと、このプレート100ａ内に上部で連通する上流側パイプ100ｂと、プレート100ａ内に下部で連通する下流側パイプ100ｃとからなり、タンク本体81側に形成された上穴と下穴に、それぞれ上流側パイプ100ｂと下流側パイプ100ｃが連結されてオイルクーラ100はタンク本体81に取り付けられる。
【００７９】
このオイルクーラ100は、図８に示すようにタンクカバー88の一部により前方から覆われて内部のオイルクーラ収容部85に冷却水が流入・流出され、オイルクーラ100内のオイルが冷却される。
【００８０】
タンク本体81において、オイルクーラ100の上流側パイプ100ｂが連結される上穴は、図８に示すように、上流側パイプ100ｂの後方で切換弁105ａを備えるオイルサーモスタット105の一方の出口に連通し、オイルクーラ100の下流側パイプ100ｃが連結される下穴は、オイルクーラ100の下流側油路である下方へ延びるオイル縦通路107に連通している。
オイルサーモスタット105のもう１つ別の出口は、オイルクーラ100を迂回してオイル縦通路107に連結するバイパス油路106に連通している。
【００８１】
また、図８に示すように、オイルサーモスタット105の入口は、同オイルサーモスタット105の上方に取り付けられたオイルフィルタ110のオイル出口112とオイルクーラ100の上流側油路113を介して連通している。
オイルフィルタ110は、前記したようにフィードポンプ90Ｆにより圧送されたオイルがオイル入口111から流入されて、ろ過されたオイルがオイル出口112に流出する。
【００８２】
オイルサーモスタット105は、切換弁105ａの移動により潤滑油が所定温度以上のとき、オイルクーラ100側を開放してバイパス油路106側を閉じ、潤滑油が所定温度未満であると、バイパス油路106側を開放してオイルクーラ100側を閉じる。
【００８３】
バイパス油路106には、低圧用オイルスイッチ115が取付けられて油圧の異常低下を検出するとともに、オイルクーラ100およびバイパス油路106より下流のオイル縦通路107には、高圧用オイルスイッチ116が取付けられて油圧の異常上昇を検出するようになっている。
【００８４】
図８に示すように、低圧用オイルスイッチ115は、バイパス油路106に右側に突出するように取付けられているのに対して、高圧用オイルスイッチ116は、上下方向に延びるオイル縦通路107にオイルクーラ100の下方空間を利用して前方に突出するように取付けられている。
【００８５】
図４に破線で示すように、オイル縦通路107は、タンク本体81の下部で左方に屈曲してオイル横通路108に連通し、同オイル横通路108は後方に向かって３本の分岐路を有し、中央に内燃機関20のメインギャラリにオイルを供給するメインギャラリ用供給路109ｃ、左右端にそれぞれ左右のバランサシャフト36Ｌ，36Ｒの軸受部にオイルを供給する左バランサ用供給路109ｌと右バランサ用供給路109ｒが設けられている（図１０参照）。
【００８６】
図７に示すように、メインギャラリ用供給路109ｃは、前記クランクケース23のメインオイル通路23Ｃに連結され、メインオイル通路23Ｃからクランクシャフト21の各軸受部へリブ23ｒ内の通路に分配されてオイルが供給される。
【００８７】
左バランサ用供給路109ｌと右バランサ用供給路109ｒは、前記左バランサ用オイル通路23Ｌと右バランサ用オイル通路23Ｒにそれぞれ連結され（図１０参照）、左右バランサシャフト36Ｌ，36Ｒの軸受にオイルが供給される。
【００８８】
さらに、メインオイル通路23Ｃから上方のカムシャフト35Ｉ，35Ｅの軸受へオイルが供給されるとともに、ターボチャージャ43にもオイルが供給され、それぞれオイルパン27に戻る循環経路が形成されている。
【００８９】
以上の潤滑油の循環経路図を図１６に示し、全体を説明する。
オイルパン27に溜まった潤滑油は、スキャベンジングポンプ90Ｓの駆動により吸引され、オイルストレーナ74を経てろ過されてオイル回収通路73，86を通ってスキャベンジングポンプ90Ｓに吸入され、スキャベンジングポンプ90Ｓから吐出された潤滑油は、オイルタンク80内に回収される。
【００９０】
オイルタンク80内に回収された潤滑油は、フィードポンプ90Ｆの駆動により吸引され、スクリーンオイルフィルタ97を経てフィードポンプ90Ｆに吸入され、フィードポンプ90Ｆから吐出された潤滑油は、横孔98ａおよび縦孔98ｂを通って途中リリーフバルブ99を経てオイルフィルタ110に流入しろ過されてオイルサーモスタット105に至る。
【００９１】
オイルサーモスタット105は、潤滑油が所定温度以上のとき切換弁105ａがオイルクーラ100側を開放して潤滑油がオイルクーラ100を流れて冷却され、他方潤滑油が所定温度未満のとき切換弁105ａがバイパス油路106側を開放して潤滑油がバイパス油路106を流れて冷却されずに下流のオイル縦通路107に流れる。
なお、バイパス油路106には低圧用オイルスイッチ115が取付けられ、オイル縦通路107には高圧用オイルスイッチ116が取付けられている。
【００９２】
オイル縦通路107を下方に流れる潤滑油は、下端のオイル横通路108で３本の分岐路に分岐してクランクケース23の下部を後方へ流れる。
左右のバランサ用供給路109ｌ，109ｒに分岐した潤滑油は、それぞれ左右のバランサ用オイル通路23Ｌ，23Ｒを通って、左右バランサシャフト36Ｌ，36Ｒの軸受に供給される。
【００９３】
中央のメインギャラリ用供給路109ｃに分岐した潤滑油は、メインオイル通路23Ｃを通りながら、さらに分岐してクランクシャフト21の各軸受部に供給される。
なお、クランクシャフト21の各軸受部に供給された潤滑油は、クランクシャフト21内に形成された油路を通ってコネクティングロッド31の大端部との連結部に供給される。
【００９４】
また、メインオイル通路23Ｃからは上方に向かってカムシャフト用オイル供給路120が形成されていて、カムシャフト用オイル供給路120を上昇した潤滑油は、左右のカムシャフト35Ｉ，35Ｅの各軸内油路に流れ、軸内油路から各軸受および各カム面に供給される。
クランクシャフト21，左右バランサシャフト36Ｌ，36Ｒおよび左右カムシャフト35Ｉ，35Ｅ等を潤滑した潤滑油は、最終的にオイルパン27に戻る。
【００９５】
さらに、メインオイル通路23Ｃからはオイルフィルタ121を介してターボチャージャ43にターボ用オイル供給管122が延出しており、メインオイル通路23Ｃに流れた潤滑油の一部は、ターボ用オイル供給管121を通ってターボチャージャ43に供給される。
【００９６】
ターボチャージャ43に供給された潤滑油は、軸受を潤滑するのとタービン側で熱を遮断して冷却するのと分流し、２つの流れは２本のオイル排出管123，124によってオイルパン27に戻される。
【００９７】
一方、小型滑走艇１に搭載される本内燃機関20の冷却系は、小型滑走艇１を浮かべている水を利用しており、図１７に冷却水の循環経路を示し説明する。
前記したように、ジェット推進ポンプ10のインペラ11の下流正圧側の冷却水取込み口131から冷却水導入ホース45を介して冷却水が導入され、冷却水導入ホース45の分岐した一方の冷却水ホース46を通った冷却水は、ジェット推進ポンプ10より上方にあるオイルクーラ100のオイルクーラ収容部85に、その下部の冷却水流入部85ａから流入され、潤滑油を冷却した後、上部の冷却水流出部85ｂから流出し内燃機関20のシリンダブロック22のウォータジャケットを循環して内燃機関20を冷却して船外に排出される。
【００９８】
冷却水導入ホース45から分岐した他方の冷却水ホース41ａを通った冷却水は、インタークーラ41に流入して吸気を冷却し、その後ターボチャージャ25に流れてターボチャージャ25を冷却した後、排気管47ａに至り、排気管47ａを冷却するとともに、排気を取り込んで、逆流防止室47ｂ，ウォータマフラ47ｃ，配管47ｄを順次経て水中に通じるウォータチャンバ47ｅに至り、水中内へと排出される。
【００９９】
前記した潤滑系において、オイルサーモスタット105は、潤滑油が所定温度以上のときオイルクーラ100側を開放して潤滑油を冷却することで、内燃機関20の冷却を促進することができる。
【０１００】
一方で、潤滑油が所定温度未満のときはバイパス油路106側を開放して潤滑油がオイルクーラ100を通らずにバイパスして冷却されず暖機運転を促進するとともに、冷間時に過冷却が未然に防止される。
【０１０１】
小型滑走艇１は、ジェット推進ポンプ10の正圧側から導入した冷却水を内燃機関20の冷却に用いており、オイルクーラ100もこの冷却水を利用しているので、冷間時に過冷却になり易く、潤滑油がオイルクーラを通ると益々過冷却となり易くなるため、過冷却のおそれがある所定温度未満ではオイルサーモスタット105により潤滑油がオイルクーラ100を通らずにバイパスするようにして冷間時の過冷却を未然に防止するようにしている。
【０１０２】
過冷却が未然に防止されることで、燃焼室32内の燃料がクランクケース23内に侵入してオイルに混じったとしてもオイル温度の上昇に伴い蒸発が促進されてダイリューションを起こすのを防止してオイル劣化を抑制することができる。
【０１０３】
バイパス油路106は、オイルサーモスタットがバイパス油路106側を開放しているときはもとより、オイルクーラ100側を開放してバイパス油路106側を閉じたときでもバイパス油路106の下流側で連通しているので、バイパス油路106には常時潤滑油が充填された状態にあり、同バイパス油路106に低圧用オイルスイッチ115を設けることで、油圧の異常低下を常に安定して検出することができる。
【０１０４】
オイルクーラ100の下流側のオイル縦通路107に高圧用オイルスイッチ116が設けられ、より下流の各軸受等の潤滑対象における油路の詰りなどによる油圧の異常上昇を検出することができる。
上記低圧用オイルスイッチ115および高圧用オイルスイッチ116による油圧の異常が検出されたときは、注意を喚起すべく警告を発するなどの処置を行うようにする。
【０１０５】
オイルクーラ100は、従来に比べ熱交換用プレート100ａの寸法が短く小型化されており、オイルクーラ100の下部が上方に変位してクランクシャフト21より高い位置にあり、オイルクーラ収容部85自体もその下部がクランクシャフト21より高い位置にある。
したがって、図８に示すように、タンク本体81に突設されたオイルクーラ100の下方に空間が形成され、同空間を利用して補機類の配置が可能であり、本内燃機関20では高圧用オイルスイッチ116が突設されている。
【０１０６】
高圧用オイルスイッチ116は、オイルクーラ100を前方から覆うタンクカバー88の一部の直ぐ下に突設されているので、タンクカバー88に上方を覆われて、上方から水が高圧用オイルスイッチ116に掛かるのを防止している。
【０１０７】
図１７は、冷却水の循環経路を示すが、内燃機関20とジェット推進ポンプ10との相対高さは略実際に則して図示しており、クランクシャフト21とインペラ11の回転軸がシャフト15で連結されて略同じ高さにある。
【０１０８】
同図１７を参照して、前記したように冷却水は、ジェット推進ポンプ10のインペラ11の下流正圧側の冷却水取込み口131から取り込まれ、冷却水導入ホース45および冷却水ホース46を通ってオイルクーラ収容部85の下部の冷却水流入部85ａからオイルクーラ収容部85に流入されるが、オイルクーラ収容部85の冷却水流入部85ａはクランクシャフト21より高い位置にあり、一方、ジェット推進ポンプ10の正圧側の冷却水取込み口131はクランクシャフト21より低い位置か同じ高さ位置にあって、オイルクーラ収容部85に至る冷却水導入ホース45および冷却水ホース46の冷却水経路も、全てオイルクーラ収容部85の下部の冷却水流入部85ａより低い位置にある。
【０１０９】
したがって、小型滑走艇１を陸上に上げた場合、タンクカバー88に覆われたオイルクーラ収容部85内の水は、冷却水流入部85ａから流出し冷却水ホース46および冷却水導入ホース45を通ってジェット推進ポンプ10の正圧側の冷却水取込み口131から流れ出て自然と排出される。
【図面の簡単な説明】
【０１１０】
【図１】本発明の一実施の形態に係る内燃機関を搭載した小型滑走艇の側面図である。
【図２】同平面図である。
【図３】図１におけるIII-III線で切断した断面図である。
【図４】一部断面一部省略した船体および内燃機関の正面図である。
【図５】同内燃機関の斜視図である。
【図６】同内燃機関の一部断面一部省略した正面図である。
【図７】同内燃機関の側断面図である。
【図８】同内燃機関の一部切欠き一部省略した右側面図である。
【図９】クランクシャフトを断面としてシリンダブロックを下面から見た図である。
【図１０】クランクケースを下面図である。
【図１１】オイルパンの下面図である。
【図１２】同オイルパンの上面図である。
【図１３】オイルストレーナの側面図である。
【図１４】同上面図である。
【図１５】図１３におけるXV-XV線で切断した断面図である。
【図１６】潤滑油の循環経路を示す図である。
【図１７】冷却水の循環経路を示す図である。
【符号の説明】
【０１１１】
10…ジェット推進ポンプ、11…インペラ、20…内燃機関、45…冷却水導入ホース、46…冷却水ホース、85…オイルクーラ収容部、85ａ…冷却水流入部、100…オイルクーラ、116…高圧用オイルスイッチ、131…冷却水取込み口。
【図１】
2006097562.tif 000003
【図２】
2006097562.tif 000004
【図３】
2006097562.tif 000005
【図４】
2006097562.tif 000006
【図５】
2006097562.tif 000007
【図６】
2006097562.tif 000008
【図７】
2006097562.tif 000009
【図８】
2006097562.tif 000010
【図９】
2006097562.tif 000011
【図１０】
2006097562.tif 000012
【図１１】
2006097562.tif 000013
【図１２】
2006097562.tif 000014
【図１３】
2006097562.tif 000015
【図１４】
2006097562.tif 000016
【図１５】
2006097562.tif 000017
【図１６】
2006097562.tif 000018
【図１７】
2006097562.tif 000019